(57)【要約】【課題】弾性伸縮部材を用いることなく、左右におけるサイド防漏部とウイング部とが、それぞれ一枚の伸縮性シートから形成されている吸収性物品及びその製造方法を提供すること。【解決手段】生理用ナプキン１は、液保持性の吸収層１２及び液不透過性の裏面層１３を具備する実質的に縦長の吸収性本体１１と、長手方向の両側縁部から延出する一対のウイング部２、２とを有し、ナプキン１の肌当接面側の長手方向の両側部に、一対のサイド防漏部３、３が、それぞれ該ナプキン１の長手方向に沿って且つ吸収層１２の表面側を覆うように設けられており、ウイング部２とサイド防漏部３とが、一枚の伸縮性シート４から形成されている。【選択図】図１
2006311939.tif 000002
【特許請求の範囲】
【請求項１】
長手方向の両側縁部から延出する一対のウイング部を有する吸収性物品において、
前記吸収性物品の肌当接面側の長手方向両側部を覆うように、一対のサイド防漏部が設けられており、前記ウイング部と前記サイド防漏部とが、一枚の伸縮性シートから形成されている吸収性物品。
【請求項２】
一対の前記サイド防漏部は、それぞれの内側縁部側が、自然状態において、肌当接面から離間する請求項１記載の吸収性物品。
【請求項３】
自然状態における前記吸収性物品は、長手方向において、該吸収性物品の肌当接面側に向けて湾曲している請求項１又は２記載の吸収性物品。
【請求項４】
一対の前記サイド防漏部を形成する部分の前記伸縮性シートは、丸みを帯びた自由端が形成されるように折り返されている請求項１〜３の何れかに記載の吸収性物品。
【請求項５】
前記伸縮性シートが、捲縮した捲縮性繊維及び熱融着性繊維を含む不織布から形成されている請求項１〜４の何れかに記載の吸収性物品。
【請求項６】
伸縮性シートの原反を切断してウイング部が間欠的に形成された長尺状部材を得、一対の該長尺状部材を、それぞれ吸収性物品の長手方向に伸張させた状態で、前記ウイング部が該吸収性物品の肌当接面側の長手方向の両側縁部から延出するように該吸収性物品に固定した後、個々の吸収性物品に切断する吸収性物品の製造方法。
【請求項７】
前記長尺状部材を、前記ウイング部以外の部分が前記吸収性物品の肌当接面側の長手方向両側部を覆うように、該吸収性物品に固定し、前記ウイング部以外の部分が覆う部分がサイド防漏部として機能する吸収性物品を得る請求項６記載の吸収性物品の製造方法。
【発明の詳細な説明】
【技術分野】
【０００１】
本発明は、吸収性物品、詳しくは、ウイング付き生理用ナプキン等の吸収性物品及びその製造方法に関する。
【背景技術】
【０００２】
従来、ウイング部を備えた生理用ナプキンが広く知られている。この種の生理用ナプキンは、吸収性本体とその長手方向の両側縁に設けられている一対のウイング部とから形成されている。
この種の生理用ナプキンにおけるウイング部は、その片面に粘着層が設けられており、ナプキンの使用の際にショーツ等の下着（以下、単にショーツともいう）における股下部の縁部に沿って折り曲げられ、該粘着層を介して該下着の外表面に固定されるものである。
【０００３】
また、一枚の不織布からサイド防漏部とウイング部とが形成されている生理用ナプキンが知られている。
例えば、特開２００２−２７２７８６号公報（特許文献１）には、生理用ナプキンの表面がわ両側部にそれぞれ長手方向に沿って、かつ生理用ナプキンのほぼ全長に亘ってサイド不織布を設けるとともに、前記サイド不織布の一部を側方に延在させることによりウイング部が形成されており、サイド不織布の内方側においては表面シートに接着されない所定幅の自由縁部を有するとともに、その先端部分が二重に折り返され、この折返し内部に２本の弾性伸縮部材が配設され、製品状態では表面側に起立する立体ギャザーが形成されている生理用ナプキンが開示されている。
【０００４】
しかし、立体ギャザーにおける着用者との肌当接面には、弾性伸縮部材の収縮によって幅方向に延びる小さなひだが形成されており、肌との間に若干の隙間ができ、モレにつながったり、違和感を感じる場合がある。また、立体ギャザーを設けるために、弾性伸縮部材を配設することが必要であり、コスト及び工程数の増加が生じてしまう。
【０００５】
【特許文献１】特開２００２−２７２７８６号公報
【発明の開示】
【発明が解決しようとする課題】
【０００６】
従って、本発明の目的は、弾性伸縮部材を用いることなく、左右におけるサイド防漏部とウイング部とが、それぞれ一枚の伸縮性シートから形成されている吸収性物品及びその製造方法を提供することにある。
【課題を解決するための手段】
【０００７】
本発明は、長手方向の両側縁部から延出する一対のウイング部を有する吸収性物品において、前記吸収性物品の肌当接面側の長手方向両側部を覆うように、一対のサイド防漏部が設けられており、前記ウイング部と前記サイド防漏部とが、一枚の伸縮性シートから形成されている吸収性物品を提供することにより、上記目的を達成したものである（以下、この発明を第１発明という）。
【０００８】
また、本発明は、伸縮性シートの原反を切断してウイング部が間欠的に形成された長尺状部材を得、一対の該長尺状部材を、それぞれ吸収性物品の長手方向に伸張させた状態で、前記ウイング部が該吸収性物品の肌当接面側の長手方向の両側縁部から延出するように該吸収性物品に固定した後、個々の吸収性物品に切断する吸収性物品の製造方法を提供することにより、上記目的を達成したものである（以下、この発明を第２発明という）。
【発明の効果】
【０００９】
第１発明の吸収性物品によれば、長手方向の同じ側にあるサイド防漏部とウイング部とが、ウイング部がよれを有さずに、一枚の伸縮性シートから形成されており、また、弾性伸縮部材が用いられていないため、装着感が高められている。また、第２発明の製造方法によれば、弾性伸縮部材が不要なため、コスト及び工程数の削減を図って、第１発明の吸収性物品を製造することができる。
【発明を実施するための最良の形態】
【００１０】
以下、第１発明の吸収性物品の好ましい実施形態について、図１〜３を参照しながら説明する。
【００１１】
第１発明の吸収性物品１としての生理用ナプキン１の好ましい本実施形態は、図１及び図２に示すように、液保持性の吸収層１２及び液不透過性の裏面層１３を具備する実質的に縦長の吸収性本体１１と、長手方向の両側縁部から延出する一対のウイング部２、２とを有しており、ナプキン１の肌当接面側の長手方向の両側部に、一対のサイド防漏部３、３が、それぞれ該ナプキン１の長手方向に沿って且つ吸収層１２の表面側を覆うように設けられており、ウイング部２とサイド防漏部３とが、一枚の伸縮性シート４から形成されている。
【００１２】
また、吸収層１２は、液透過性の表面シート１４と液保持性の吸収体１５とからなり、裏面層１３は、液不透過性の裏面シート１３からなる。本実施形態における裏面シートは、裏面層そのものであるため該裏面層と同一の符号（１３）を付す。
吸収体１５は、図２に示すように、表面シート１４と裏面シート１３との間に介在されており、表面シート１４と裏面シート１３とは、長手方向の両端部において互いに接合されてシール部が形成されている。
尚、吸収性本体１１の表面側には、図１に示すように、防漏溝１６が設けられている。該防漏溝１６は、長手方向に延びる一対のエンボス溝、及び該エンボス溝の長手方向の両端部において、幅方向に延びる円弧状の２重のエンボス溝とから形成されている。また、長手方向に延びる一対の前記エンボス溝は、それぞれ内側に括れた形状を有している。該防漏溝１６によって、表面シート１４及び吸収体１５が接合されている。
【００１３】
本実施形態の生理用ナプキン１において、ウイング部２及びサイド防漏部３を一体的に形成している伸縮性シート４は、伸縮性を有する不織布である。ここで、本明細書において、伸縮性とは、手で引っ張る程度の引っ張り力で伸張し、その引っ張り力がなくなると、収縮して元の状態に戻ろうとする性質であり、手で軽く引っ張る程度の引っ張り力を加えた程度では、その引っ張り力の消失によりほぼ元の状態に戻る程度の弾性を有することが好ましい。
【００１４】
本実施形態の生理用ナプキン１に用いた伸縮性シート４は、吸収性本体１１の長手方向（生理用ナプキン１の長手方向と同じ）及び該方向と直交する方向（ウイング部２の延出方向）の両方向を含む、伸縮性シート４の面内における３６０゜すべての方向に弾性的に伸縮可能である。
【００１５】
本実施形態の生理用ナプキン１について、更に説明すると、一対のサイド防漏部３、３は、縦長に形成されており、図１に示すように、生理用ナプキン１の長手方向の両端部において、それぞれ吸収性本体１１と接合されている。
また、一対のサイド防漏部３、３は、図１に示すように、幅方向の内側縁部であって、防漏溝１６の長手方向の両端部において幅方向に延びる２重の円弧状のエンボス溝の両脇において、第１エンボス部Ｂ１、Ｂ１…が設けられており、吸収性本体１１と接合されている。
更に、一対のサイド防漏部３、３は、図１に示すように、幅方向の内側縁部であって、防漏溝１６の長手方向の両端部と吸収性本体１１の長手方向の両端部との間において、第２エンボス部Ｂ２、Ｂ２…が設けられており、吸収性本体１１と接合されている。
【００１６】
一対のサイド防漏部３、３は、図１に示すように、吸収性本体１１の長手方向の両側縁の近傍の領域において、それぞれ表面シート１４及び裏面シート１３と接合され、接合部５、５を形成している。
接合部５、５の形状は、それらと連設している一対のウイング部２、２が、ショーツ股下部の縁部に沿って折り曲げられた時に、該ショーツ股下部の縁部とフィットし易いように、長手方向の中央部において、それぞれ内側に括れた形状を有している。ここで、接合部５は、ホットメルト接着剤等による接着でも、ヒートシール等の溶着により形成されるものであっても良い。
【００１７】
一対のサイド防漏部３、３は、弾性を有する伸縮性シート４から形成されており、その収縮力によって、自然状態において、図１及び図２に示すように、それぞれの内側縁部側が、第１エンボスＢ１、Ｂ１間に亘って、肌当接面から離間している。ここで、肌当接面とは表面シート２の肌当接面側のことである。また、自然状態とは、生理用ナプキン１に、重力以外の外力が働いていない状態のことをいう（以下、同様）。
また、自然状態における生理用ナプキン１は、一対のサイド防漏部３、３の収縮力によって、図１に示すように、長手方向において、該生理用ナプキン１の肌当接面側に向けて湾曲している。
【００１８】
サイド防漏部３は、図２に示すように、幅方向内方において吸収体１５の上方の位置まで配され、サイド防漏部３を形成する部分の伸縮性シート４は、そこで幅方向外方に向けて、それぞれ丸みを帯びた自由端３１が形成されるように吸収層１２側へ折り返され、裏面シート１３に当接している。サイド防漏部３の折り返された部分は、接合部５において、折り返し部分におけるサイド防漏部３の表面側の伸縮性シート４及び裏面シート１３と接合されている。
【００１９】
本実施形態の生理用ナプキン１の一対のウイング部２、２は、それぞれ長手方向の同じ側のサイド防漏部３、３と一枚の伸縮性シート４から一体的に形成されており、一対の該サイド防漏部３、３の長手方向の外側縁部の中央領域から、それぞれ外側に延出している。
一枚の伸縮性シート４は、前記接合部５を境にして、サイド防漏部３とウイング部２とに分かれている。
【００２０】
また、一対のウイング部２、２を構成する伸縮性シート４の片面には、ショーツ股下部の縁部に沿って折り曲げたウイング部２を、該ショーツの外表面に固定するための粘着層（図示せず）が設けられている。
【００２１】
本実施形態の生理用ナプキン１の一対のサイド防漏部３、３の長さは、吸収性本体１１の長手方向の全長に亘っていることが好ましいが、少なくとも、着用者の排泄部に対向する部分に亘っていれば良い。
本実施形態の生理用ナプキン１の一対のサイド防漏部３、３において、第１エンボス部Ｂ１、Ｂ１…と長手方向端縁との距離は、ナプキン１の自然状態において、それぞれ５０〜１５０ｍｍであることが好ましい。第２エンボス部Ｂ２、Ｂ２…は、その延長線上の長手方向端縁から１５〜２０ｍｍの位置に形成されている。第１エンボス部Ｂ１、Ｂ１…及び第２エンボス部Ｂ２、Ｂ２…それぞれが、図１のようにポイント固定である場合、Ｂ１−Ｂ２間でも伸縮性シートの収縮性によって前方側部及び／又は後方側部のサイド防漏効果を高めることができる。また、生理用ナプキン１の長手方向において、ウイング部２の領域に第１エンボス部Ｂ１がないため、サイド防漏部の内側の立ち上がり性が良好である。
【００２２】
本実施形態の生理用ナプキン１のウイング部２の脇におけるサイド防漏部３において、長手方向に直交する方向における接合部（固定端）５と自由端３１との間の長さを、サイド防漏部３の表面に沿って測定した長さは、５〜２５ｍｍであることが好ましい。
また、ウイング部２の脇におけるサイド防漏部３において、長手方向に直交する方向におけるサイド防漏部３が吸収体１５と重なっている部分の長さを、サイド防漏部３の表面に沿って測定した長さは、０〜２０ｍｍであることが好ましい。
本実施形態の生理用ナプキン１の一対のウイング部２、２が、接合部５、５を介して一対のサイド防漏部３、３と連接している部分の長さは、それぞれ吸収性本体１１の長手方向の両側縁の全長に対して、５０〜１００％であることが好ましく、７０〜１００％が更に好ましい。
【００２３】
本実施形態の生理用ナプキン１のウイング部２及びサイド防漏部３を一体的に形成している一枚の伸縮性シート４は、捲縮した捲縮性繊維及び熱融着性繊維を含む不織布から形成されている。また、伸縮性シート４は、防漏性の観点から撥水性を有していることが好ましい。
【００２４】
本実施形態における伸縮性シート４の好ましい材料である前記不織布は、図３に示すように、捲縮した捲縮性繊維及び捲縮していない熱融着性繊維を含む第１繊維層６と、該捲縮性繊維を含まないか又は該捲縮性繊維を第１繊維層中よりも低い含有率で含む第２繊維層７とからなり、第１及び第２繊維層６、７は互いに積層された状態で部分的に熱融着されており、前記不織布には、多数の熱融着部８が形成されている。第２繊維層７は、第１繊維層６中の熱融着性繊維と同じ繊維又は異なる種類の繊維からなる。
熱融着部８は、積層した第１及び第２繊維層６、７に対して、ヒートエンボス又は超音波エンボス等の部分的な加熱加圧処理を施すことによって形成されている。
第１繊維層６は、ウイング部２及びサイド防漏部３の裏面を形成しており、第２繊維層７は、ウイング部２及びサイド防漏部３の表面を形成している。尚、サイド防漏部３の折り返し部においては、前記裏面とは、前記折り返し部の内側の面をいい、前記表面とは、該折り返し部の外側の面をいう。
【００２５】
前記不織布に含まれる前記捲縮性繊維は、所定の処理によりそれ自体で捲縮を発現する性質の繊維であって、生理用ナプキン１のウイング部２及びサイド防漏部３に含まれている状態においては、少なくとも一部の繊維が捲縮を発現している。また、捲縮性繊維は、組み合わせて用いられる熱融着性繊維の溶融開始温度以下では実質的に溶融しない。
前記捲縮性繊維としては、熱可塑性ポリマー材料からなり且つ熱処理により螺旋状の捲縮を発現する潜在捲縮性繊維を用いることが好ましい。
潜在捲縮性繊維は、加熱される前は、従来の不織布用の繊維と同様に取り扱うことができ、且つ所定温度での加熱によって螺旋状の捲縮が発現して収縮する性質を有する繊維である。潜在捲縮性繊維を用いると、不織布製造時の第１繊維層の熱収縮と、収縮後の弾性伸縮性（エラストマー的挙動）の両者を同時に実現することができる。
潜在捲縮性繊維は、例えば収縮率の異なる２種類の熱可塑性ポリマー材料を成分とする偏心芯鞘型複合繊維又はサイド・バイ・サイド型複合繊維からなる。その例としては、特開平９−２９６３２５号公報や特許２７５９３３１号明細書に記載のものが挙げられる。熱可塑性ポリマー材料としては、ポリエチレンやポリプロピレン等のポリオレフィン、ポリエチレンテレフタレート等のポリエステル、ポリアミド等が挙げられる。
【００２６】
前記不織布に含まれる前記熱融着性繊維は、所定温度に加熱することによって少なくとも表面が溶融し、その溶融及び固化により繊維同士を熱融着させ得るものである。
本実施形態における前記熱融着部８は、第１繊維層６と第２繊維層７とが、第１及び／又は第２繊維層に含まれる熱融着性繊維の溶融及び固化によって厚み方向に一体化されている部分であり、ヒートエンボス、超音波エンボス等の部分的な加熱加圧処理を施すことによって形成されている。尚、単一の繊維層からなる不織布によってウイング部２及びサイド防漏部３が構成されている場合の熱融着部は、その繊維層に、ヒートエンボス又は超音波エンボス等の部分的な加熱加圧処理を施すことによって形成されるものであり、該繊維層中の熱融着性繊維同士が溶融及び固化により熱融着している部分である。
前記不織布（第１及び／又は第２繊維層）に含まれる熱融着性繊維としては、熱可塑性ポリマー材料からなる繊維が好適に用いられる。熱可塑性ポリマー材料としては、ポリエチレンやポリプロピレン等のポリオレフィン、ポリエチレンテレフタレート等のポリエステル、ポリアミド等が挙げられる。また、これらの熱可塑性ポリマー材料の組み合わせからなる芯鞘型複合繊維（特に同心型）又はサイド・バイ・サイド型複合繊維を用いることもできる。
【００２７】
伸縮性シート４を形成する前記不織布は、捲縮性繊維及び熱融着性繊維を混合状態で含む第１繊維層と第２繊維層とを積層し、両者を部分的な加熱加圧処理により部分的に熱融着させ、その熱融着と同時又はその後に、第１繊維層を熱処理（熱風処理等）により熱収縮させてなるものである。第１繊維層の熱収縮は、前記熱処理により、第１繊維層中の捲縮性繊維が捲縮することにより生じる。
【００２８】
第１及び第２繊維層を熱融着させる前の第１及び第２繊維層それぞれを構成する繊維集合体の形態としては、例えば（１）カード法によって形成されたウェブ、及び（２）熱融着法によって形成された不織布、水流交絡法によって形成された不織布、ニードルパンチ法によって形成された不織布、溶剤接着法によって形成された不織布、スパンボンド法によって形成された不織布、メルトブローン法によって形成された不織布等、各種製法の不織布等が挙げられる。カード法によって形成されたウェブは、不織布化される前の状態の繊維集合体のことである。つまり、不織布を製造する際に用いられるカードウエブに加えられる後処理、例えばエアスルー法やカレンダー法による加熱融着処理が施されていない状態にあり、繊維同士が極めて緩く絡んでいる状態の繊維集合体のことである。カード法によって形成されたウェブを第１及び／又は第２繊維層に用いる場合には、第１及び第２繊維層６、７を熱融着させると同時に、又は熱融着させた後に、第１及び／又は第２繊維層中の繊維同士を、熱融着若しくは接着剤（バインダー材料）による接着又は機械的に交絡させる。
第１及び／又は第２繊維層６、７には、前記以外の繊維、例えばレーヨン、コットン、親水化アクリル系繊維などの吸水性繊維を混綿することもできる。
【００２９】
前記不織布の弾性的な伸縮性は、捲縮した捲縮性繊維のコイル構造由来の弾性に加え、熱融着性繊維のネットワーク構造が、捲縮した捲縮性繊維により収縮した構造となり、弾性作用を示すことにより発現している。
即ち、第１繊維層中の捲縮性繊維及び熱融着性繊維は混合状態とされており、不織布の製造工程において、熱融着性繊維同士が相互に熱融着されてネットワーク構造が形成されると共に、該ネットワーク構造を構成する繊維の一部が捲縮を発現した捲縮性繊維のコイル構造内に取り込まれる。該ネットワーク構造は、コイル構造内に複数の熱融着性繊維が取り込まれるため、ネットワーク構造が収縮し、ネットワーク構造自体が、弾性機能を示す（ネットワーク構造に伸ばされようとする力が働く場合、コイル状繊維は、そのコイル径が広がったり、コイルの長さが伸びる動きを示し、力の解放とともに、コイル状繊維が元に戻ろうとして、ネットワーク構造を収縮する）。
【００３０】
前記不織布に、弾性作用を示すネットワーク構造を形成させる観点から、第１繊維層６は、前記熱融着性繊維を５〜７０重量％、特に２０〜５０重量％含んでいることが好ましく、前記捲縮性繊維を３０〜９５重量％、特に５０〜９５重量％含んでいることが好ましい。また、両者の比（捲縮性繊維／熱融着性繊維，重量比）は、０．３〜２０、特に０．８〜５であることが好ましい。尚、捲縮性繊維の量は、捲縮しているものと捲縮していないものを区別しない量である。
尚、第２繊維層中には、第１繊維層中の熱融着性繊維と同じ又は異なる熱融着繊維が、例えば４０〜１００重量％程度含まれていることが好ましい。また、第２繊維層中にも、捲縮性繊維を若干量（例えば５〜２０重量％）含ませても良い。
【００３１】
上述した第２繊維層７は、熱融着部８以外の部位が表面側に凸の隆起部９、９…を形成しており、隆起部９、９…を有することにより優れた肌触りが得られる。
【００３２】
本実施形態の生理用ナプキン１の表面シート１４、裏面シート１３、吸収体１５及び前記粘着層は、生理用ナプキン等の吸収性物品において、それぞれ従来用いられている各種のものを特に制限なく用いることができる。例えば、表面シート１４は、各種製法による不織布又は樹脂フィルムを開孔して液透過性としたものでも良い。
【００３３】
本実施形態の生理用ナプキン１によれば、一対のサイド防漏部の自由端３１、３１は、丸みを帯びており、且つ上述した伸縮性シート４としての前記不織布から形成されているため、優れた肌触りを有しており、装着感が高められている。
また、一対のウイング部２、２は、伸縮性を有する伸縮性シート４から形成されているため、例えば繊維が生理用ナプキン１の長手方向に配向した伸縮性シート４を用いることによって、生理用ナプキン１の長手方向には伸張性があり、生理用ナプキン１幅方向の伸張性が抑えられたウイング部２を形成することも可能である。
このように形成することで、ショーツへの装着による生理用ナプキン１の湾曲や動きによる歪み（生理用ナプキン１幅方向側部に働く剪断力）に対して長手方向にウイング部２が伸縮し、ウイング部（生理用ナプキン１側部）２に働く各種歪みを緩和できると共に、ウイング部２をショーツを固定する際に伸びが抑えられているため操作性に特に優れたものとなる。
【００３４】
第１発明の生理用ナプキン１の他の実施形態を示す図４について説明すると、一対のサイド防漏部３、３は、図４に示すように、それぞれ幅方向内方において折り返しは設けられてなく、それらの端部は、それぞれ自由端３１、３１を形成している。その他の点については、本実施形態に関して詳述した前記説明が適宜適用される。また、図４において、図２と同じ部材に同じ符号を付してある。
更に、一対のサイド防漏部３、３の幅方向内方の端部は自由端を形成していたが、内方向端縁まで表面シート１４に接合されていても良い。
【００３５】
次に、本発明の吸収性物品の製造方法を、上述した生理用ナプキン１の製造方法の好ましい本実施態様について図５を参照しながら説明する。
【００３６】
本発明の製造方法の好ましい本実施態様は、伸縮性シートの原反４１を切断してウイング部２が間欠的に形成された長尺状部材４４を得、一対の該長尺状部材４４を、それぞれナプキン１の長手方向に伸張させた状態で、ウイング部２がナプキン１の肌当接面側の長手方向の両側縁部から延出するように、該ナプキン１に固定した後、個々のナプキン１に切断するものである。
更に説明すると、本実施態様は、長尺状部材４４を、ウイング部２以外の部分がナプキン１の肌当接面側の長手方向両側部を覆うように該ナプキン１に固定し、ウイング部２以外の部分が覆う部分がサイド防漏部３として機能するものである。
【００３７】
更に詳述すると、本実施態様は、伸縮性シートの原反４１から、サイド防漏部３を形成するサイド防漏部形成部４３とウイング部２を形成するウイング部形成部４２とをそれぞれ多数有し、サイド防漏部形成部４３においては連続し、ウイング部形成部４２においては非連続に形成する連続部材４４の製造工程、一対の該連続部材４４を、別に製造した吸収性本体連続体１７の長手方向の両側部に、それぞれ伸張状態で固定する接合工程、及び吸収性物品としての生理用ナプキン１の連続体を個々の生理用ナプキン１に切断する切断工程を具備している。連続部材４４は、本発明の長尺状部材である。
【００３８】
前記連続部材４４の製造工程においては、図５（ａ）及び（ｂ）に示すように、伸縮性シートの原反４１から、サイド防漏部形成部４３においては連続し、ウイング部形成部４２においては非連続であるように切断し、サイド防漏部形成部４２とウイング部形成部４３とをそれぞれ多数有する一対の連続部材４４、４４を形成する。前記サイド防漏部形成部４３は、サイド防漏部３を形成する連続部材４４の部分であり、前記ウイング部形成部４２は、ウイング部２を形成する連続部材４４の部分である。伸縮性シートの原反４１の切断装置としては、ロータリーカッター等の従来から吸収性物品の切断に用いられている切断装置が用いられる。
上述のように形成された一対の連続部材４４、４４は、サイド防漏部形成部４３、４３…の長手方向の側縁部を、それぞれ折り返し線１８、１８（図５（ｂ）参照）において、裏面側に折り返した後、連続部材４４と吸収性本体連続体１７とを接合する接合工程に送られる。
【００３９】
前記接合工程において、図５（ｃ）左側に示すように、一対の連続部材４４、４４を長手方向に伸張する。これにより、一対のサイド防漏部形成部４３、４３が長手方向に伸張される。伸張させる程度は、伸張前の長さに対して、伸張後の長さが１０５〜１４０％となるようにすることが、ナプキン１の着用時において、サイド防漏部３が身体に違和感なくフィットし、防漏効果を高めるようにサイド防漏部３が肌当接面から離間する観点から好ましい。
伸張させる手段は、公知の方法を用いうるが、製造工程においてサイド防漏部形成部４３をテンションをコントロールすることにより伸張させることが好ましい。
【００４０】
連続部材４４のサイド防漏部形成部４３、４３…の伸張状態を保ったまま、一対の連続部材４４、４４のサイド防漏部形成部４３、４３…を、図５（ｃ）左側に示すように、別に製造した吸収性本体連続体１７の長手方向の両側部に、詳しくは、両側縁の近傍の領域において接合固定し、生理用ナプキン１の連続体を形成する。ここで、接合方法としては、ホットメルト接着剤等の接着剤を用いた接着でも、ヒートシール等の溶着でも良い。また、前記接合により形成される接合部５は、各生理用ナプキン１における長手方向の中央部において、それぞれ内側に括れた形状に形成する。尚、吸収性本体連続体１７の表面側には、図１に示すような、防漏溝１６が、すでに所定の間隔で設けられている（図示せず）。
【００４１】
次いで、上述のように形成された前記生理用ナプキン１の連続体は、生理用ナプキン１の長さに対応する所定の間隔で、上下面を幅方向に亘って接合し、シール部を形成する。
次いで、一対のサイド防漏部形成部４３、４３の幅方向の内側縁部であって、前記シール部端縁からの距離が好ましくは２０〜６０ｍｍの位置に、それぞれ第１エンボス部Ｂ１、Ｂ１…を設け、また、延長線上長手方向端部前記シール部端縁からの距離が好ましくは５〜１０ｍｍの位置に、それぞれ第２エンボス部Ｂ２、Ｂ２…を設け、一対のサイド防漏部形成部４３、４３と吸収性本体連続体１７とを上記８箇所にて接合した後、前記生理用ナプキン１の連続体は、切断工程に送られる。尚、第１エンボス部Ｂ１、Ｂ１…を設ける際には、前記生理用ナプキン１の連続体は伸張状態にある。
【００４２】
前記切断工程においては、前記生理用ナプキン１の連続体を、所定の間隔で間欠的に切断し、個々の吸収性物品としての生理用ナプキン１を得る。即ち、図５（ｃ）右側に示すように、生理用ナプキン１の連続体を、長手方向に間欠的に形成された被切断部としての前記シール部において、幅方向に亘って切断し、第１発明の本実施形態である個々の生理用ナプキン１を得る。
【００４３】
本発明の生理用ナプキン１の製造方法において、先ず、伸縮性シートの原反４１から、サイド防漏部形成部４３においては連続し、ウイング部形成部４２においては非連続の連続部材４４を形成し、次いで、一対の連続部材４４、４４を、別に製造した吸収性本体連続体１７の長手方向の両側部に、それぞれ伸張状態で固定し、然る後、個々の生理用ナプキン１に切断するものであり、生理用ナプキン１の他の部分は、常法に従い製造される。
【００４４】
本実施態様によれば、伸縮性シートの原反４１から、サイド防漏部形成部４３においては連続し、ウイング部形成部４２においては非連続であるように切断した一対の連続部材４４、４４のサイド防漏部形成部４３、４３…を、長手方向に伸張し、吸収性本体連続体１７の長手方向の両側部に、それぞれ伸張状態を保ったまま固定した後、個々の生理用ナプキン１に切断するため、自然状態において、一対のウイング部２、２は、それぞれよれを有さない。
【００４５】
本発明は、前述した実施形態及び実施態様に制限されることなく、本発明の趣旨を逸脱しない限り適宜変更が可能である。
例えば、本実施形態のナプキン１におけるサイド防漏部３において、第１エンボス部Ｂ１と第２エンボス部Ｂ２との間を固定しても良いし、さらに第２エンボス部Ｂ２を超えて長手方向の端縁までエンボス部を形成しても良い。これらの場合には、伸縮性シートの収縮性を抑えることによって、生理用ナプキン１長手方向の湾曲形状を適度に制御して調整することができ、身体へのフィット性を向上させることができる。第１エンボス部Ｂ１から第２エンボス部Ｂ２あるいは第２エンボス部Ｂ２を越えたエンボス部は、連続的な固定部でも良いし、不連続的な固定部でも良いが、伸縮性シートの収縮抑制の観点からは連続的な固定部の方がフィット性向上効果を得易いためより好ましい。
第１エンボス部Ｂ１から第２エンボス部Ｂ２あるいは第２エンボス部Ｂ２を越えたエンボス部は、収縮性の抑制効果の観点から、サイド防漏部３の幅方向内側縁部だけでなく、幅方向外側縁部に至るまで形成していても良い。
サイド防漏部３を固定するための前述したエンボス部は、直線状や曲線状に形成したり、その組合せによって図柄を構成することや、独立した（非連続な）図柄で形成して印象性を高めても良い。
【００４６】
また、伸縮性シートの好ましい材料である不織布は、単層の不織布であっても良く、その場合、該不織布中の熱捲縮性繊維の含有率は５０〜９５重量％、熱融着性繊維の含有率は５〜５０重量％であることが、強度及び肌触りの観点から好ましい。
また、伸縮性シートの好ましい材料である不織布は、３層以上の繊維層からなるものであっても良い。例えば、第１発明の本実施形態で用いた前記不織布における第１繊維層の第２繊維層が積層された面とは反対側の面側に、第２繊維層と同一又は異なる材料からなる第３繊維層を積層し、これらが部分的な熱融着部で厚み方向に一体化されていても良い。
また、本発明の実施態様においては、伸縮性シートの原反４１から、一対の連続部材４４、４４を形成したが、一つの連続部材４４を形成しても良いし、三つ以上の連続部材４４、４４…を形成しても良い。
【００４７】
吸収性物品には、更に、後部フラップをウイング部の長手方向の後側に設けてもよい。
【００４８】
尚、本発明の吸収性物品は、生理用ナプキンの他、パンティライナー等であっても良い。
【図面の簡単な説明】
【００４９】
【図１】図１は、第１発明の生理用ナプキンの本実施形態の斜視図である。
【図２】図２は、図１におけるＸ−Ｘ線断面図である。
【図３】図３は、図２におけるサイド防漏部及びウイング部を形成している伸縮性シートである不織布の一部を拡大した断面図である。
【図４】図４は、第１発明の生理用ナプキンの他の実施形態の図２に相当する断面図である。
【図５】図５（ａ）〜（ｃ）は、第１発明の本実施形態である生理用ナプキンを製造する第２発明の本実施形態の要部を模式的に示す平面図であり、図５（ａ）は連続部材の製造工程を示し、図５（ｂ）は接合工程を示し、図５（ｃ）は、切断工程を示す。
【符号の説明】
【００５０】
１    生理用ナプキン（吸収性物品）
１１  吸収性本体
１２  吸収層
１３  裏面シート（裏面層）
１４  表面シート
１５  吸収体
１６  防漏溝
１７  吸収性本体連続体
１８  折り返し線
２    ウイング部
３    サイド防漏部
３１  サイド防漏部の自由端
４    伸縮性シート（不織布）
４１  伸縮性シートの原反（不織布の原反）
４２  ウイング部形成部
４３  サイド防漏部形成部
４４  連続部材（長尺状部材）
５    接合部
６    第１繊維層
７    第２繊維層
８    熱融着部
９    隆起部
Ｂ１  第１エンボス部
Ｂ２  第２エンボス部
【図１】
2006311939.tif 000003
【図２】
2006311939.tif 000004
【図３】
2006311939.tif 000005
【図４】
2006311939.tif 000006
【図５】
2006311939.tif 000007